【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
複数の視点に対応するピクチャを符号化する画像符号化方法であって、
符号化対象のピクチャと同じ視点の所定のピクチャ内の所定のブロックが、当該所定のピクチャの視点と異なる視点の第１のピクチャ内のブロックを参照して符号化されたか否かを判定する第１の判定工程と、
前記第１の判定工程において前記所定のブロックが前記第１のピクチャ内のブロックを参照して符号化されたと判定された場合に、前記所定のブロックを符号化する際に用いられたベクトルに基づいて前記符号化対象のピクチャ内の符号化対象のブロックを符号化する符号化工程と、
を有することを特徴とする画像符号化方法。
【請求項２】
前記符号化工程は、前記所定のブロックが、前記所定のピクチャと視点の異なる前記第１のピクチャであって前記所定のピクチャと時間的に等しい前記第１のピクチャ内のブロック参照して符号化された場合に、前記ベクトルに基づいて前記符号化対象のブロックを符号化することを特徴とする請求項１に記載の画像符号化方法。
【請求項３】
前記符号化工程は、前記第１の判定工程において前記所定のブロックが前記第１のピクチャを参照して符号化されていないと判定された場合に、前記符号化対象のピクチャと異なる視点のピクチャを参照して前記符号化対象のブロックを符号化することを特徴とする請求項１または請求項２に記載の画像符号化方法。
【請求項４】
さらに、前記所定のブロックが、前記所定のピクチャと時間的に異なる第２のピクチャ内の、前記所定のブロックと対応する位置のブロックにおける動きベクトルに基づいて符号化されたか否かを判定する第２の判定工程を有し、
前記符号化工程は、前記第２の判定工程において前記所定のブロックが前記動きベクトルに基づいて符号化されたと判定された場合に、前記動きベクトルに基づいて前記符号化対象のブロックを符号化することを特徴とする請求項１乃至請求項３のいずれか一項に記載の画像符号化方法。
【請求項５】
前記符号化工程は、前記所定のブロックが、前記所定のピクチャと時間的に異なる前記第２のピクチャであって前記所定のピクチャと視点の等しい前記第２のピクチャ内のブロックにおける動きベクトルに基づいて、前記符号化対象のブロックを符号化することを特徴とする請求項４に記載の画像符号化方法。
【請求項６】
前記第１の判定工程は、前記第２の判定工程において前記所定のブロックが前記動きベクトルに基づいて符号化されていないと判定された場合に、前記所定のブロックが前記第１のピクチャを参照して符号化されたか否かを判定することを特徴とする請求項１乃至請求項５のいずれか一項に記載の画像符号化方法。
【請求項７】
前記所定のピクチャは、前記符号化対象のピクチャと同じ視点のピクチャであって、前記符号化対象のピクチャと時間的に異なるピクチャであって、前記符号化対象のピクチャをＬ１予測する場合に参照される候補のピクチャのうち前記符号化対象のピクチャに時間的に最も近いピクチャであることを特徴とする請求項１乃至請求項６のいずれか一項に記載の画像符号化方法。
【請求項８】
前記所定のブロックは、前記所定のピクチャ内の、前記符号化対象のピクチャ内の前記符号化対象のブロックに対応する位置のブロックであることを特徴とする請求項１乃至請求項７のいずれか一項に記載の画像符号化方法。
【請求項９】
前記符号化工程は、前記第１の判定工程において前記所定のブロックが前記第１のピクチャを参照して符号化されたと判定された場合に、前記所定のブロックを符号化する際に用いられたベクトルを、前記符号化対象のブロックにおけるベクトルとして符号化することを特徴とする請求項１乃至請求項８のいずれか一項に記載の画像符号化方法。
【請求項１０】
複数の視点に対応するピクチャを符号化する画像符号化方法であって、
符号化対象のピクチャ内の符号化対象のブロックをイントラ予測した場合の第１の予測誤差を取得する第１の取得工程と、
前記符号化対象のブロックをインター予測した場合の第２の予測誤差を取得する第２の取得工程と、
前記符号化対象のブロックを、前記符号化対象のピクチャとは視点の異なる第１のピクチャを参照してビュー間予測した場合の第３の予測誤差を取得する第３の取得工程と、
前記符号化対象のブロックを、前記符号化対象のピクチャと同じ視点の所定のピクチャ内の所定のブロックを符号化する際に用いられたベクトルに基づいて符号化した場合の第４の予測誤差を取得する第４の取得工程と、
前記第１乃至４の取得工程によって取得された前記第１乃至４の予測誤差に基づいて、前記符号化対象のブロックを符号化する符号化工程と
を有することを特徴とする画像符号化方法。
【請求項１１】
前記符号化工程は、前記第１乃至４の取得工程によって取得された前記第１乃至４の予測誤差のうち、最も小さい値の予測誤差に対応する予測方法を用いて、前記符号化対象のブロックを符号化することを特徴とする請求項１０に記載の画像符号化方法。
【請求項１２】
複数の視点に対応するピクチャを符号化して生成されたビットストリームを復号する画像復号方法であって、
復号対象のピクチャと同じ視点の所定のピクチャ内の所定のブロックが、当該所定のピクチャの視点と異なる視点の第１のピクチャ内のブロックを参照して予測符号化されたか否かを判定する第１の判定工程と、
前記第１の判定工程において前記所定のブロックが前記第１のピクチャ内のブロックを参照して符号化されたと判定された場合に、前記所定のブロック符号化された際に用いられたベクトルに基づいて前記復号対象のピクチャ内の復号対象のブロックを復号する復号工程と、
を有することを特徴とする画像復号方法。
【請求項１３】
前記復号工程は、前記所定のブロックが、前記所定のピクチャと視点の異なる前記第１のピクチャであって前記所定のピクチャと時間的に等しい前記第１のピクチャ内のブロックを参照して符号化された場合に、前記ベクトルに基づいて前記復号対象のブロックを復号することを特徴とする請求項１２に記載の画像復号方法。
【請求項１４】
前記復号工程は、前記第１の判定工程において前記所定のブロックが前記第１のピクチャを参照して符号化されていないと判定された場合に、前記復号対象のピクチャと異なる視点のピクチャを参照して前記復号対象のブロックを復号することを特徴とする請求項１２または請求項１３に記載の画像復号方法。
【請求項１５】
さらに、前記所定のブロックが、前記所定のピクチャと時間的に異なる第２のピクチャ内の前記所定のブロックと対応する位置のブロックにおける動きベクトルに基づいて符号化されたか否かを判定する第２の判定工程を有し、
前記復号工程は、前記第２の判定工程において前記所定のブロックが前記動きベクトルに基づいて符号化されたと判定された場合に、前記動きベクトルに基づいて前記復号対象のブロックを復号することを特徴とする請求項１２乃至請求項１４のいずれか一項に記載の画像復号方法。
【請求項１６】
前記復号工程は、前記所定のブロックが、前記所定のピクチャと時間的に異なる前記第２のピクチャであって前記所定のピクチャと視点の等しい前記第２のピクチャ内のブロックにおける動きベクトルに基づいて、前記復号対象のブロックを復号することを特徴とする請求項１５に記載の画像復号方法。
【請求項１７】
前記第１の判定工程は、前記第２の判定工程において前記所定のブロックが前記動きベクトルに基づいて符号化されていないと判定された場合に、前記所定のブロックが前記第１のピクチャを参照して符号化されたか否かを判定することを特徴とする請求項１２乃至請求項１６のいずれか一項に記載の画像復号方法。
【請求項１８】
前記所定のピクチャは、前記復号対象のピクチャと同じ視点のピクチャであって、前記復号対象のピクチャと時間的に異なるピクチャであって、前記復号対象のピクチャをＬ１予測する場合に参照される候補のピクチャのうち前記復号対象のピクチャに時間的に最も近いピクチャであることを特徴とする請求項１２乃至請求項１７のいずれか一項に記載の画像復号方法。
【請求項１９】
前記所定のブロックは、前記所定のピクチャ内の、前記復号対象のピクチャ内の前記復号対象のブロックに対応する位置のブロックであることを特徴とする請求項１２乃至請求項１８のいずれか一項に記載の画像復号方法。
【請求項２０】
前記復号工程は、前記第１の判定工程において前記所定のブロックが前記第１のピクチャを参照して符号化されたと判定された場合に、前記所定のブロックを符号化する際に用いられたベクトルを、前記復号対象のブロックにおけるベクトルとして復号することを特徴とする請求項１２乃至請求項１９のいずれか一項に記載の画像復号方法。
【請求項２１】
複数の視点に対応するピクチャを符号化する画像符号化装置であって、
符号化対象のピクチャと同じ視点の所定のピクチャ内の所定のブロックが、当該所定のピクチャの視点と異なる視点の第１のピクチャ内のブロックを参照して符号化されたか否かを判定する第１の判定手段と、
前記第１の判定手段において前記所定のブロックが前記第１のピクチャ内のブロックを参照して符号化されたと判定された場合に、前記所定のブロックを符号化する際に用いられたベクトルに基づいて前記符号化対象のピクチャ内の符号化対象のブロックを符号化する符号化手段と、
を有することを特徴とする画像符号化装置。
【請求項２２】
複数の視点に対応するピクチャを符号化する画像符号化装置であって、
符号化対象のピクチャ内の符号化対象のブロックをイントラ予測した場合の第１の予測誤差を取得する第１の取得手段と、
前記符号化対象のブロックをインター予測した場合の第２の予測誤差を取得する第２の取得手段と、
前記符号化対象のブロックを、前記符号化対象のピクチャとは視点の異なる第１のピクチャを参照してビュー間予測した場合の第３の予測誤差を取得する第３の取得手段と、
前記符号化対象のブロックを、前記符号化対象のピクチャと同じ視点の所定のピクチャ内の所定のブロックを符号化する際に用いられたベクトルに基づいて符号化した場合の第４の予測誤差を取得する第４の取得手段と、
前記第１乃至４の取得手段によって取得された前記第１乃至４の予測誤差に基づいて、前記符号化対象のブロックを符号化する符号化手段と
を有することを特徴とする画像符号化装置。
【請求項２３】
複数の視点に対応するピクチャを符号化して生成されたビットストリームを復号する画像復号装置であって、
復号対象のピクチャと同じ視点の所定のピクチャ内の所定のブロックが、当該所定のピクチャの視点と異なる視点の第１のピクチャ内のブロックを参照して予測符号化されたか否かを判定する第１の判定手段と、
前記第１の判定手段において前記所定のブロックが前記第１のピクチャ内のブロックを参照して符号化されたと判定された場合に、前記所定のブロック符号化された際に用いられたベクトルに基づいて前記復号対象のピクチャ内の復号対象のブロックを復号する復号手段と、
を有することを特徴とする画像復号装置。
【請求項２４】
コンピュータを、請求項１乃至請求項１１のいずれか一項に記載の画像符号化方法の各工程として機能させるためのプログラム。
【請求項２５】
コンピュータを、請求項１２乃至請求項２０のいずれか一項に記載の画像復号方法の各工程として機能させるためのプログラム。
【手続補正２】
【補正対象書類名】明細書
【補正対象項目名】０００９
【補正方法】変更
【補正の内容】
【０００９】
上述課題を解決するため、本発明の画像符号化装置は以下の構成を備える。即ち、複数の視点に対応するピクチャを符号化する画像符号化装置であって、符号化対象のピクチャと同じ視点の所定のピクチャ内の所定のブロックが、当該所定のピクチャの視点と異なる視点の第１のピクチャ内のブロックを参照して符号化されたか否かを判定する第１の判定手段と、前記第１の判定手段において前記所定のブロックが前記第１のピクチャ内のブロックを参照して符号化されたと判定された場合に、前記所定のブロックを符号化する際に用いられたベクトルに基づいて前記符号化対象のピクチャ内の符号化対象のブロックを符号化する符号化手段と、を有することを特徴とする。
【手続補正３】
【補正対象書類名】明細書
【補正対象項目名】００１０
【補正方法】変更
【補正の内容】
【００１０】
さらに、本発明の画像復号装置は以下の構成を備える。即ち、  複数の視点に対応するピクチャを符号化して生成されたビットストリームを復号する画像復号装置であって、復号対象のピクチャと同じ視点の所定のピクチャ内の所定のブロックが、当該所定のピクチャの視点と異なる視点の第１のピクチャ内のブロックを参照して予測符号化されたか否かを判定する第１の判定手段と、前記第１の判定手段において前記所定のブロックが前記第１のピクチャ内のブロックを参照して符号化されたと判定された場合に、前記所定のブロック符号化された際に用いられたベクトルに基づいて前記復号対象のピクチャ内の復号対象のブロックを復号する復号手段と、を有することを特徴とする。